(57)【要約】【課題】予期せぬ画質低下を防ぎつつ、撮影可能枚数を増やすことができる撮像装置を提供する。【解決手段】残枚数増加機能が手動に設定されると、撮影可能枚数が規定枚数以下になった段階で画像サイズ／画質の設定画面がモニタ３４に表示される。また、残枚数増加機能が自動に設定されると、撮影可能枚数が規定枚数以下になった段階で画像サイズ／画質が自動的に一段下げられ、撮影可能枚数が自動的に増やされる。【選択図】      図１
2007110221.tif 000002
【特許請求の範囲】
【請求項１】
記憶メディアに記録する画像の画像サイズ、及び／又は、圧縮率を段階的に設定可能な撮像装置において、
前記記憶メディアの空き容量に基づいて現在の設定状況から撮影可能枚数を算出する撮影可能枚数演算手段と、
前記撮影可能枚数演算手段で算出された撮影可能枚数を表示する表示手段と、
前記撮影可能枚数演算手段で算出された撮影可能枚数が、あらかじめ設定された枚数以下になると、設定されている画像サイズの変更、及び／又は、設定されている圧縮率の変更を案内する案内手段と、
を備えたことを特徴とする撮像装置。
【請求項２】
記憶メディアに記録する画像の画像サイズ、及び／又は、圧縮率を段階的に設定可能な撮像装置において、
前記記憶メディアの空き容量に基づいて現在の設定状況から撮影可能枚数を算出する撮影可能枚数演算手段と、
前記撮影可能枚数演算手段で算出された撮影可能枚数を表示する表示手段と、
前記撮影可能枚数演算手段で算出された撮影可能枚数が、あらかじめ設定された枚数以下になると、設定されている画像サイズを一段小さいサイズに修正、及び／又は、設定されている圧縮率を一段高い圧縮率に修正する修正手段と、
を備えたことを特徴とする撮像装置。
【請求項３】
記憶メディアに記録する画像の画像サイズ、及び／又は、圧縮率を段階的に設定可能な撮像装置において、
前記画像サイズ、及び／又は、前記圧縮率の切り替えを手動モード又は自動モードに設定するモード設定手段と、
前記記憶メディアの空き容量に基づいて現在の設定状況から撮影可能枚数を算出する撮影可能枚数演算手段と、
前記撮影可能枚数演算手段で算出された撮影可能枚数を表示する表示手段と、
前記モード設定手段で手動モードに設定された場合において、前記撮影可能枚数演算手段で算出された撮影可能枚数が、あらかじめ設定された枚数以下になると、設定されている画像サイズの変更、及び／又は、設定されている圧縮率の変更を案内する案内手段と、
前記モード設定手段で自動モードに設定された場合において、前記撮影可能枚数演算手段で算出された撮影可能枚数が、あらかじめ設定された枚数以下になると、設定されている画像サイズを一段小さいサイズに修正、及び／又は、設定されている圧縮率を一段高い圧縮率に修正する修正手段と、
を備えたことを特徴とする撮像装置。
【請求項４】
フレームレート及び／又は画像サイズを段階的に設定でき、設定されたフレームレート及び／又は画像サイズで動画像を撮影して記憶メディアに記録する撮像装置において、
前記記憶メディアの空き容量に基づいて現在の設定状況から撮影可能時間を算出する撮影可能時間演算手段と、
前記撮影可能時間演算手段で算出された撮影可能時間を表示する表示手段と、
前記撮影可能時間演算手段で算出された撮影可能時間が、あらかじめ設定された時間以下になると、設定されているフレームレートの変更、及び／又は、設定されている画像サイズの変更を案内する案内手段と、
を備えたことを特徴とする撮像装置。
【請求項５】
フレームレート及び／又は画像サイズを段階的に設定でき、設定されたフレームレート及び／又は画像サイズで動画像を撮影して記憶メディアに記録する撮像装置において、
前記記憶メディアの空き容量に基づいて現在の設定状況から撮影可能時間を算出する撮影可能時間演算手段と、
前記撮影可能時間演算手段で算出された撮影可能時間を表示する表示手段と、
前記撮影可能時間演算手段で算出された撮影可能時間が、あらかじめ設定された時間以下になると、設定されている画像サイズを一段小さい画像サイズに修正、及び／又は、設定されているフレームレートを一段低いフレームレートに修正する修正手段と、
を備えたことを特徴とする撮像装置。
【請求項６】
フレームレート及び／又は画像サイズを段階的に設定でき、設定されたフレームレート及び／又は画像サイズで動画像を撮影して記憶メディアに記録する撮像装置において、
前記画像サイズ、及び／又は、前記フレームレートの切り替えを手動モード又は自動モードに設定するモード設定手段と、
前記記憶メディアの空き容量に基づいて現在の設定状況から撮影可能時間を算出する撮影可能時間演算手段と、
前記撮影可能時間演算手段で算出された撮影可能時間を表示する表示手段と、
前記モード設定手段で手動モードに設定された場合において、前記撮影可能時間演算手段で算出された撮影可能時間が、あらかじめ設定された時間以下になると、設定されているフレームレートの変更、及び／又は、設定されている画像サイズの変更を案内する案内手段と、
前記モード設定手段で自動モードに設定された場合において、前記撮影可能時間演算手段で算出された撮影可能時間が、あらかじめ設定された時間以下になると、設定されている画像サイズを一段小さい画像サイズに修正、及び／又は、設定されているフレームレートを一段低いフレームレートに修正する修正手段と、
を備えたことを特徴とする撮像装置。
【発明の詳細な説明】
【技術分野】
【０００１】
本発明は撮像装置に係り、特に記録する画像の圧縮率、画像サイズを任意に設定可能な撮像装置に関する。
【背景技術】
【０００２】
あらかじめ撮影可能枚数が定められているフィルムカメラと異なり、デジタルカメラは、同じ記憶容量の記憶メディアを用いた場合であっても、設定されている圧縮率や画像サイズにより撮影可能な枚数が変化する。このため、デジタルカメラでは、設定条件に応じた撮影可能枚数をモニタ等に表示するようにしている（たとえば、特許文献１）。
【０００３】
また、このように圧縮率や画像サイズを変えることにより、撮影可能枚数を変えることができることから、撮影希望枚数を設定すると、設定された枚数の画像が撮影できるように圧縮率を自動設定するデジタルカメラも提案されている（特許文献２）。
【特許文献１】特開平５−７５９６６号公報
【特許文献２】特開平２−２３１８８１号公報
【発明の開示】
【発明が解決しようとする課題】
【０００４】
しかしながら、特許文献２のデジタルカメラでは、すべての画像に対して圧縮率が一律に設定されてしまうため、高画質で記録したい画像まで高い圧縮率で圧縮されてしまう場合があるという欠点があった。
【０００５】
本発明は、このような事情に鑑みてなされたもので、予期せぬ画質低下を防ぎつつ、撮影可能枚数を増やすことができる撮像装置を提供することを目的とする。
【課題を解決するための手段】
【０００６】
請求項１に係る発明は、前記目的を達成するために、記憶メディアに記録する画像の画像サイズ、及び／又は、圧縮率を段階的に設定可能な撮像装置において、前記記憶メディアの空き容量に基づいて現在の設定状況から撮影可能枚数を算出する撮影可能枚数演算手段と、前記撮影可能枚数演算手段で算出された撮影可能枚数を表示する表示手段と、前記撮影可能枚数演算手段で算出された撮影可能枚数が、あらかじめ設定された枚数以下になると、設定されている画像サイズの変更、及び／又は、設定されている圧縮率の変更を案内する案内手段と、を備えたことを特徴とする。
【０００７】
請求項１に係る発明によれば、撮影可能枚数が、あらかじめ設定された枚数以下になると、現在設定されている画像サイズの変更、及び／又は、現在設定されている圧縮率の変更が案内される。ユーザは、この案内に対して手動で画像サイズの変更、及び／又は、圧縮率の変更を行うことにより、撮影可能枚数を増やすことができる。また、画質を落とさずに撮影したい場合は、そのまま撮影を続行することにより、不本意に画質が落とされて画像が記録されるのを防止することができる。
【０００８】
請求項２に係る発明は、前記目的を達成するために、記憶メディアに記録する画像の画像サイズ、及び／又は、圧縮率を段階的に設定可能な撮像装置において、前記記憶メディアの空き容量に基づいて現在の設定状況から撮影可能枚数を算出する撮影可能枚数演算手段と、前記撮影可能枚数演算手段で算出された撮影可能枚数を表示する表示手段と、前記撮影可能枚数演算手段で算出された撮影可能枚数が、あらかじめ設定された枚数以下になると、設定されている画像サイズを一段小さいサイズに修正、及び／又は、設定されている圧縮率を一段高い圧縮率に修正する修正手段と、を備えたことを特徴とする。
【０００９】
請求項２に係る発明によれば、撮影可能枚数が、あらかじめ設定された枚数以下になると、現在設定されている画像サイズが一段小さいサイズに自動修正、及び／又は、現在設定されている圧縮率が一段高い圧縮率に自動修正される。これにより、ユーザが記憶メディアの空き容量を意識することなく、可能な限り撮影可能枚数を増やすことができる。
【００１０】
請求項３に係る発明は、前記目的を達成するために、記憶メディアに記録する画像の画像サイズ、及び／又は、圧縮率を段階的に設定可能な撮像装置において、前記画像サイズ、及び／又は、前記圧縮率の切り替えを手動モード又は自動モードに設定するモード設定手段と、前記記憶メディアの空き容量に基づいて現在の設定状況から撮影可能枚数を算出する撮影可能枚数演算手段と、前記撮影可能枚数演算手段で算出された撮影可能枚数を表示する表示手段と、前記モード設定手段で手動モードに設定された場合において、前記撮影可能枚数演算手段で算出された撮影可能枚数が、あらかじめ設定された枚数以下になると、設定されている画像サイズの変更、及び／又は、設定されている圧縮率の変更を案内する案内手段と、前記モード設定手段で自動モードに設定された場合において、前記撮影可能枚数演算手段で算出された撮影可能枚数が、あらかじめ設定された枚数以下になると、設定されている画像サイズを一段小さいサイズに修正、及び／又は、設定されている圧縮率を一段高い圧縮率に修正する修正手段と、を備えたことを特徴とする。
【００１１】
請求項３に係る発明によれば、手動モードに設定すると、撮影可能枚数が、あらかじめ設定された枚数以下になると、現在設定されている画像サイズの変更、及び／又は、現在設定されている圧縮率の変更が案内される。また、自動モードに設定すると、撮影可能枚数が、あらかじめ設定された枚数以下になると、現在設定されている画像サイズが一段小さいサイズに自動修正、及び／又は、現在設定されている圧縮率が一段高い圧縮率に自動修正される。これにより、ユーザの好みに応じた記録方法を選択することができ、使い勝手が向上する。
【００１２】
請求項４に係る発明は、前記目的を達成するために、フレームレート及び／又は画像サイズを段階的に設定でき、設定されたフレームレート及び／又は画像サイズで動画像を撮影して記憶メディアに記録する撮像装置において、前記記憶メディアの空き容量に基づいて現在の設定状況から撮影可能時間を算出する撮影可能時間演算手段と、前記撮影可能時間演算手段で算出された撮影可能時間を表示する表示手段と、前記撮影可能時間演算手段で算出された撮影可能時間が、あらかじめ設定された時間以下になると、設定されているフレームレートの変更、及び／又は、設定されている画像サイズの変更を案内する案内手段と、を備えたことを特徴とする。
【００１３】
請求項４に係る発明によれば、撮影可能時間が、あらかじめ設定された時間以下になると、現在設定されている画像サイズの変更、及び／又は、現在設定されているフレームレートの変更が案内される。ユーザは、この案内に対して手動で画像サイズの変更、及び／又は、フレームレートの変更を行うことにより、撮影可能時間を増やすことができる。また、画質を落とさずに撮影したい場合は、そのまま撮影を続行することにより、不本意に画質が落とされて画像が記録されるのを防止することができる。
【００１４】
請求項５に係る発明は、前記目的を達成するために、フレームレート及び／又は画像サイズを段階的に設定でき、設定されたフレームレート及び／又は画像サイズで動画像を撮影して記憶メディアに記録する撮像装置において、前記記憶メディアの空き容量に基づいて現在の設定状況から撮影可能時間を算出する撮影可能時間演算手段と、前記撮影可能時間演算手段で算出された撮影可能時間を表示する表示手段と、前記撮影可能時間演算手段で算出された撮影可能時間が、あらかじめ設定された時間以下になると、設定されている画像サイズを一段小さい画像サイズに修正、及び／又は、設定されているフレームレートを一段低いフレームレートに修正する修正手段と、を備えたことを特徴とする。
【００１５】
請求項５に係る発明によれば、撮影可能時間が、あらかじめ設定された時間以下になると、現在設定されている画像サイズが一段小さいサイズに自動修正、及び／又は、現在設定されているフレームレートが一段低いフレームレートに自動修正される。これにより、ユーザが記憶メディアの空き容量を意識することなく、可能な限り撮影可能時間を増やすことができる。
【００１６】
請求項６に係る発明は、前記目的を達成するために、フレームレート及び／又は画像サイズを段階的に設定でき、設定されたフレームレート及び／又は画像サイズで動画像を撮影して記憶メディアに記録する撮像装置において、前記画像サイズ、及び／又は、前記フレームレートの切り替えを手動モード又は自動モードに設定するモード設定手段と、前記記憶メディアの空き容量に基づいて現在の設定状況から撮影可能時間を算出する撮影可能時間演算手段と、前記撮影可能時間演算手段で算出された撮影可能時間を表示する表示手段と、前記モード設定手段で手動モードに設定された場合において、前記撮影可能時間演算手段で算出された撮影可能時間が、あらかじめ設定された時間以下になると、設定されているフレームレートの変更、及び／又は、設定されている画像サイズの変更を案内する案内手段と、前記モード設定手段で自動モードに設定された場合において、前記撮影可能時間演算手段で算出された撮影可能時間が、あらかじめ設定された時間以下になると、設定されている画像サイズを一段小さい画像サイズに修正、及び／又は、設定されているフレームレートを一段低いフレームレートに修正する修正手段と、を備えたことを特徴とする。
【００１７】
請求項６に係る発明によれば、手動モードに設定すると、撮影可能時間が、あらかじめ設定された時間以下になると、現在設定されている画像サイズの変更、及び／又は、現在設定されているフレームレートの変更が案内される。また、自動モードに設定すると、撮影可能時間が、あらかじめ設定された時間以下になると、現在設定されている画像サイズが一段小さいサイズに自動修正、及び／又は、現在設定されているフレームレートが一段低いフレームレートに自動修正される。これにより、ユーザの好みに応じた記録方法を選択することができ、使い勝手が向上する。
【発明の効果】
【００１８】
本発明に係る撮像装置によれば、予期せぬ画質低下を防ぎつつ、撮影可能枚数を増やすことができる。
【発明を実施するための最良の形態】
【００１９】
以下、添付図面を参照して本発明に係る撮像装置を実施するための最良の形態について説明する。
【００２０】
図１、図２は、それぞれ本発明に係る撮像装置の一実施形態を示す正面斜視図と背面斜視図である。
【００２１】
この撮像装置１０は、静止画と動画の記録再生が可能なコンパクトタイプのデジタルカメラである。
【００２２】
図１に示すように、撮像装置１０の装置本体１２は、横長の四角い箱状に形成されており、その正面には、撮影レンズ１４、ファインダ窓１６、ストロボ１８、マイクロフォン２０等が設けられている。また、上面には、シャッタボタン２２、電源／モードスイッチ２４、モードダイヤル２６等が設けられており、右側面には、ＵＳＢ端子２８、スピーカ３０等が設けられている。
【００２３】
また、図２に示すように、装置本体１２の背面には、ファインダ接眼部３２、モニタ３４、ズームボタン３６、十字ボタン３８、ＭＥＮＵ／ＯＫボタン４０、ＤＩＳＰボタン４２、ＢＡＣＫボタン４４等が設けられている。
【００２４】
また、カメラボディ１２の底面には、開閉自在なバッテリカバー４６が設けられており、そのバッテリカバー４６の内側にバッテリを収納するためのバッテリ収納室（不図示）と、メモリカードを装填するためのメモリカードスロット（不図示）とが設けられている。
【００２５】
シャッタボタン２２は、いわゆる「半押し」と「全押し」とからなる二段ストローク式のスイッチで構成されている。静止画撮影時、撮像装置１０は、このシャッタボタン２２を半押しすると、ＡＥ（Automatic Exposure：自動露出）、ＡＦ（Auto Focus：自動合焦）、ＡＷＢ（Automatic White Balance：自動ホワイトバランス）が作動し、全押しすると、画像記録の処理を行う。また、動画撮影時、このシャッタボタン２０を全押しすると、画像の記録を開始し、更にもう一度全押しすると、画像の記録を停止する。
【００２６】
電源／モードスイッチ２４は、撮像装置１０の電源をＯＮ／ＯＦＦする電源スイッチとしての機能と、撮像装置１０のモードを設定するモードスイッチとしての機能を有しており、「ＯＦＦ位置」、「再生位置」、「撮影位置」の間をスライド自在に設けられている。撮像装置１０は、この電源／モードスイッチ２４を「再生位置」又は「撮影位置」に合わせることにより、電源がＯＮになり、「ＯＦＦ位置」に合わせることにより、電源がＯＦＦになる。そして、電源／モードスイッチ２４を「再生位置」に合わせることにより、「再生モード」に設定され、「撮影位置」に合わせることにより、「撮影モード」に設定される。
【００２７】
モードダイヤル２６は、撮像装置１０の撮影モードを設定する撮影モード設定手段として機能し、このモードダイヤルの設定位置により、撮像装置１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００２８】
モニタ３４は、カラーＬＣＤで構成されている。このモニタ３４は、再生モード時に撮影済み画像を表示するための画像表示部として利用されるとともに、各種設定時にＧＵＩとして利用される。また、撮影時に必要に応じてスルー画像が表示されて、画角確認用の電子ファインダとして利用される。
【００２９】
ズームボタン３６は、望遠側へのズームを指示するズームテレボタンと、広角側へのズームを指示するズームワイドボタンとで構成され、このズームボタン３６が操作されることにより、撮影レンズ１４がズーミングされる。
【００３０】
十字ボタン３８は、上下左右４方向に押圧操作可能に設けられており、各方向には撮像装置１０の設定状況に応じた機能が割り当てられる。
【００３１】
ＭＥＮＵ／ＯＫボタン４０は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３２】
ＤＩＳＰボタン４２は、モニタ３４の表示内容の切り替えを指示するボタンとして機能し、ＢＡＣＫボタン４４は、入力操作のキャンセル等を指示するボタンとして機能する。
【００３３】
図３は、撮像装置１０の電気的構成を示すブロック図である。同図に示すように、撮像装置１０は、ＣＰＵ１１０、操作部（シャッタボタン２２、電源／モードスイッチ２４、モードダイヤル２６、ズームボタン３６、十字ボタン３８、ＭＥＮＵ／ＯＫボタン４０、ＤＩＳＰボタン４２、ＢＡＣＫボタン４４等）１１２、ＲＯＭ１１４、ＲＡＭ１１６、ＥＥＰＲＯＭ１１８、ＶＲＡＭ１２０、時計／カレンダ部１２２、撮影光学系１２４、撮影光学系駆動部１２６、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、メディアコントローラ１４２、メモリカード１４４、ＵＳＢコントローラ１４６、エンコーダ１４８、ＯＳＤ部１５０、ＡＥ／ＡＷＢ検出部１５２、ＡＦ検出部１５４、ストロボ制御部１５６、音声信号処理部１５８、Ｄ／Ａコンバータ１６０、スピーカアンプ１６２、スピーカ３０、マイクロフォン２０、マイクアンプ１６４、Ａ／Ｄコンバータ１６６、電源制御部１６８、バッテリ１７０等で構成されている。
【００３４】
ＣＰＵ１１０は、撮像装置１０の全体の動作を統括制御する制御手段として機能するとともに、各種の演算処理を行う演算処理手段として機能し、操作部１１２からの入力に基づき所定の制御プログラムに従って各回路を制御する。
【００３５】
ＲＯＭ１１４には、ＣＰＵ１１０が実行する制御プログラム及び制御に必要な各種データ等が格納されており、ＥＥＰＲＯＭ１１８には、ユーザ設定情報等の各種設定情報等が格納されている。
【００３６】
ＲＡＭ１１６は、ＣＰＵ１１０の演算作業用領域として利用されるとともに、画像データの一時記憶領域として利用され、ＶＲＡＭ１２０は、表示用の画像データ専用の一時記憶領域として利用される。
【００３７】
時計／カレンダ部１２２は、現在日時を計時し、ＣＰＵ１１０からの指令に応じて計時した現在時刻情報をＣＰＵ１１０に出力する。
【００３８】
撮影光学系１２４は、撮影レンズ１４、絞り、シャッタを含み、撮影レンズ１４は、フォーカスレンズとズームレンズとを含んで構成されている。
【００３９】
撮影光学系駆動部１２６は、ＣＰＵ１１０からの指令に応じて撮影レンズ１４を構成するフォーカスレンズ及びズームレンズを駆動し、フォーカシング及びズーミング行う。また、ＣＰＵ１１０からの指令に応じて、絞りを駆動し、撮像素子１２８に入射する光量を調節するとともに、シャッタを駆動し、撮像素子１２８の露光／遮光を制御する。
【００４０】
撮像素子１２８は、カラーＣＣＤで構成されており、その受光面には多数のフォトダイオード（受光素子）が配列されている。撮影光学系１２４を介して撮像素子１２８の受光面に入射した光は、各フォトダイオードによって入射光量に応じた量の信号電荷に変換されて、各フォトダイオードに蓄積される。
【００４１】
タイミングジェネレータ（ＴＧ）１３０は、ＣＰＵ１１０からの指令に従い、主として撮像素子１２８を駆動するためのタイミング信号を生成する。撮像素子１２８は、このタイミングジェネレータ１３０から加えられるタイミング信号に従って各フォトダイオードに蓄積された信号電荷を読み出し、電圧信号（画像信号）として出力する。
【００４２】
アナログ信号処理部１３２は、撮像素子１２８から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅して出力する。
【００４３】
Ａ／Ｄコンバータ１３４は、アナログ信号処理部１３２から出力されたＲ、Ｇ、Ｂのアナログの画像信号をデジタルの画像信号に変換する。
【００４４】
画像入力コントローラ１３６は、所定容量のラインバッファを内蔵し、Ａ／Ｄコンバータ１３４から出力された１画像分の画像信号を蓄積して、ＲＡＭ１１６に格納する。
【００４５】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力された画像信号に所要の信号処理を施して、輝度データ（Ｙデータ）と色差データ（Ｃｒ，Ｃｂデータ）とからなる画像データ（ＹＵＶデータ）を生成する。
【００４６】
圧縮伸張処理部１４０は、ＣＰＵ１１０からの指令に従って入力された画像データに圧縮処理を施し、所定フォーマット（たとえば、ＪＰＥＧ）の圧縮画像データを生成する。また、入力された圧縮画像データに伸張処理を施し、非圧縮の画像データを生成する。
【００４７】
メディアコントローラ１４２は、ＣＰＵ１１０からの指令に従ってメディアスロットに装填されたメモリカード１４４に対してデータの読み出し及び書き込みを制御する。
【００４８】
なお、本実施の形態の撮像装置１０では、装置本体１２から着脱可能なメモリカード１４４に画像を格納することとしているが、内臓式のメモリに画像を格納する構成としてもよい。
【００４９】
ＵＳＢコントローラ１４６は、ＣＰＵ１１０からの指令に従ってＵＳＢ端子２８に接続された外部機器（パソコンやプリンタ等）との間でデータの送受信を行う。
【００５０】
エンコーダ１４８は、ＣＰＵ１１０からの指令に従って入力された画像信号をモニタ３４に表示するための映像信号（たとえば、ＮＴＳＣ信号やＰＡＬ信号、ＳＣＡＭ信号）に変換し、モニタ３４に出力する。
【００５１】
ＯＳＤ（On Screen Display）部１５０は、ＣＰＵ１１０からの指令に従ってモニタ３４に表示するための文字や図形を示す信号をエンコーダ１４８に出力する。
【００５２】
ＡＥ／ＡＷＢ検出回路１５２は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出回路１５２から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５３】
ＡＦ検出回路１５４は、ＣＰＵ１１０からの指令に従って、入力された画像信号からＡＦ制御に必要な物理量を算出する。本実施の形態の撮像装置１０では、画像のコントラストによりＡＦ制御を行うものとし、ＡＦ検出回路１５４は、入力された画像信号から画像の鮮鋭度を示す焦点評価値を算出する。ＣＰＵ１１０は、このＡＦ検出回路１５４で算出される焦点評価値が極大となるように、撮影光学系駆動部１２６の駆動を制御し、フォーカスレンズの移動を制御する。
【００５４】
ストロボ制御部１５６は、ＣＰＵ１１０からの指令に従ってストロボ１８の発光を制御する。
【００５５】
音声信号処理部１５８は、ＣＰＵ１１０からの指令に従ってスピーカ３０から出力する音声信号を処理するとともに、マイクロフォン２０から取り込まれた音声信号を処理する。
【００５６】
音声信号処理部１５８で所要の信号処理が施された出力用の音声信号は、Ｄ／Ａコンバータ１６０に加えられてアナログの音声信号に変換されたのち、スピーカアンプ１６２で増幅されて、スピーカ３０から出力される。
【００５７】
一方、マイクロフォン２０から取り込まれた音声信号は、マイクアンプ１６４で増幅された後、Ａ／Ｄコンバータ１６６でデジタル信号に変換され、音声信号処理部１５８で所要の信号処理が施される。
【００５８】
電源制御部１６８は、ＣＰＵ１１０からの指令に従ってバッテリ１７０から各部への電力供給を制御する。
【００５９】
本実施の形態の撮像装置１０は以上のように構成される。
【００６０】
次に、本実施の形態の撮像装置１０による基本的な撮影、再生の処理について説明する。
【００６１】
まず、静止画撮影時における撮像装置１０の基本的な処理動作について説明する。
【００６２】
上記のように、撮像装置１０は電源／モードスイッチ２４を撮影位置にセットすることにより、撮影モードに設定される。また、モードダイヤル２６で撮影時のモードを動画撮影モード以外のモードにセットすることにより静止画の撮影が可能になる。
【００６３】
静止画の撮影モードにセットすると、モニタ３４にスルー画像が表示される。すなわち、撮像素子１２８で連続的に画像が撮像され、その撮像素子１２８から連続的に得られた画像信号から画像信号処理部１３８で画像データが連続的に生成される。生成された画像データは、ＶＲＡＭ１２０を介して順次エンコーダ１４８に加えられ、エンコーダ１４８からモニタ３４に出力される。これにより、撮像素子１２８で捉えた画像がモニタ３４にスルー表示される。撮影者は、このモニタ３４に表示されたスルー画像を見て構図を決定し、シャッタボタン２２を半押しする。
【００６４】
シャッタボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００６５】
まず、撮像素子１２８から出力された画像信号をアナログ信号処理部１３２、Ａ／Ｄコンバータ１３４、画像入力コントローラ１３６を介して取り込み、ＡＥ／ＡＷＢ検出部１５２及びＡＦ検出部１５４に加える。
【００６６】
ＡＥ／ＡＷＢ検出部１５２は、入力された画像信号からＡＥ制御及びＡＷＢ制御に必要な物理量を算出し、ＣＰＵ１１０に出力する。ＣＰＵ１１０は、このＡＥ／ＡＷＢ検出部１５２からの出力に基づき、絞り値とシャッタースピードを決定するとともに、ホワイトバランス補正値を決定する。
【００６７】
また、ＡＦ検出部１５４は、入力された画像信号からＡＦ制御に必要な物理量を算出し、ＣＰＵ１１０に出力する。ＣＰＵ１１０は、このＡＦ検出部１５４からの出力に基づき撮影光学系駆動部１２６の駆動を制御し、フォーカスレンズの移動を制御して、撮影レンズ１４のピントを主要被写体に合わせる。
【００６８】
撮影者は、モニタ３４に表示されるスルー画像を確認し、撮影レンズ１４のピント状態等を確認して撮影を実行する。すなわち、シャッタボタン２２を全押しする。
【００６９】
シャッタボタン２２が全押しされると、ＣＰＵ１１０にＳ２ＯＮ信号が入力され、このＳ２ＯＮ信号に応動して、ＣＰＵ１１０は画像の記録処理を実行する。
【００７０】
まず、上記のＡＥ処理で求めた絞り値、シャッタースピードで撮像素子１２８を露光し、記録用の画像信号の取り込みを行う。
【００７１】
撮像素子１２８から出力された一コマ分の画像信号は、アナログ信号処理部１３２、Ａ／Ｄコンバータ１３４を介して画像入力コントローラ１３６に取り込まれ、ＲＡＭ１１６に格納される。ＲＡＭ１１６に格納された画像信号は、ＣＰＵ１１０の制御の下、画像信号処理部１３８に加えられ、輝度データと色差データとからなる画像データ（ＹＵＶデータ）が生成される。生成された画像データは、一旦、ＲＡＭ１１６に格納されたのち、圧縮伸張処理部１４０に加えられる。圧縮伸張処理部１４０は、入力された画像データを所定の圧縮フォーマットに従って圧縮する。
【００７２】
圧縮された画像データは、ＲＡＭ１１６に格納され、所定フォーマットの静止画像ファイル（たとえば、Ｅｘｉｆ）として、メディアコントローラ１４２を介してメモリカード１４４に記録される。
【００７３】
なお、本実施の形態の撮像装置１０では、記録する画像のサイズ及び圧縮率を撮影者が任意に設定できるようにされている。この点については、のちに詳述する。
【００７４】
次に、動画撮影時における撮像装置１０の基本的な処理動作について説明する。
【００７５】
動画撮影は、電源／モードスイッチ２４を撮影位置にセットし、モードダイヤル２６を動画撮影モードにセットすることにより行われる。
【００７６】
上記のように、撮影はシャッタボタン２２でスタートし、再度全押しすると終了する。
【００７７】
シャッタボタン２２が全押しされると、ＣＰＵ１１０にＳ２ＯＮ信号が入力され、このＳ２ＯＮ信号に応動して、ＣＰＵ１１０は画像の記録処理を開始する。すなわち、ＡＥ制御、ＡＦ制御、ＡＷＢ調整を連続的に行いながら、撮像素子１２８で連続的に画像を撮像する。そして、撮像素子１２８から連続的に得られた画像信号から画像信号処理部１３８で画像データを連続的に生成し、圧縮伸張処理部１４０で圧縮する。その一方でマイクロフォン２０から音声を取り込み、音声信号部１５８で音声データを生成する。
【００７８】
圧縮された画像データ及び音声データは、順次ＲＡＭ１１６に格納され、再度シャッタボタン２２が全押しされると、記録が停止される。そして、このＲＡＭ１１６に格納された画像データと音声データが所定フォーマットの動画像ファイルとして、メディアコントローラ１４２を介してメモリカード１４４に記録される。
【００７９】
なお、本実施の形態の撮像装置１０では、記録する動画像のフレームレート及び画像サイズを任意に設定できるようにされている。この点については、のちに詳述する。
【００８０】
次に、再生時における撮像装置１０の基本的な処理動作について説明する。
【００８１】
撮影済み画像の再生は、電源／モードスイッチ２４を再生位置にセットし、撮像装置１０のモードを再生モードに設定することにより行われる。
【００８２】
電源／モードスイッチ２４を再生位置にセットすると、ＣＰＵ１１０は、メディアコントローラ１４２を介してメモリカード１４４に最後に記録された画像ファイルの圧縮画像データを読み出す。読み出された圧縮画像データは、圧縮伸張処理部１４０に加えられ、非圧縮の画像データとされたのちＶＲＡＭ１２０に加えられる。そして、ＶＲＡＭ１２０からエンコーダ１４８を介してモニタ３４に出力される。これにより、メモリカード１４４に記録されている画像がモニタ３４に再生表示される。
【００８３】
画像のコマ送りは、十字ボタン３８の左右のキー操作で行なわれ、右キーが操作されると、次の画像ファイルがメモリカード１４４から読み出され、モニタ３４に再生表示される。また、十字ボタン３８の左キーが操作されると、一つ前の画像ファイルがメモリカード１４４から読み出され、モニタ３４に再生表示される。
【００８４】
動画の画像ファイルの場合は、先頭フレームの画像がモニタ３４に再生表示され、この状態でＭＥＮＵ／ＯＫボタン４０が押されると、再生が開始される。
【００８５】
さて、上記のように、本実施の形態の撮像装置１０では、静止画撮影時にメモリカード１４４に記録する画像のサイズと画質（圧縮率）、及び、動画撮影時にメモリカード１４４に記録する動画像のフレームレート及び画像サイズを任意に設定できるようにされている。
【００８６】
すなわち、静止画撮影の画像サイズとして、（１）９Ｍ（３４８８×２６１６（約９１２万画素））、（２）５Ｍ（２５９２×１９４４（約５０４万画素））、（３）３Ｍ（２０４８×１５３６（約３１５万画素））、（４）２Ｍ（１６００×１２００（１９２万画素））、（５）０．３Ｍ（６４０×４８０（約３１万画素））の五つの画像サイズが選択可能にされており、圧縮率として、（１）Ｒａｗ（非圧縮）、（２）Ｆｉｎｅ（低圧縮率）、（３）Ｎｏｍａｌ（通常圧縮率）、（４）Ｂａｓｉｃ（高圧縮率）の四つの圧縮率が選択可能にされている。
【００８７】
また、動画撮影のフレームレートとして、（１）３０ｆｐｓ、（２）１５ｆｐｓの二つのフレームレートが選択可能にされており、画像サイズとして、（１）６４０（６４０×４８０）、（２）３２０（３２０×２４０）の二つの画像サイズが選択可能にされている。
【００８８】
撮影者は、目的、用途に応じてメモリカード１４４に記録する静止画像の画像サイズ、画質、動画像のフレームレート、画像サイズ等を設定する。この設定は、メニュー画面で行われる。
【００８９】
すなわち、静止画の撮影モードの下、ＭＥＮＵ／ＯＫボタン４０が押されると、図４に示すように、モニタ３４に静止画の撮影メニューが表示されるので、その静止画の撮影メニューの中から画像サイズ、画質の設定項目を選択して、画像サイズと画質の設定を行う。
【００９０】
ここで、項目の選択は、カーソルを十字ボタン３８で希望する項目の上に移動させて、右キーを押すことにより行われる。
【００９１】
たとえば、画像サイズの設定を行う場合は、撮影メニューとして表示された画像サイズの項目の上にカーソルを移動させ、十字ボタン３８の右キーを押す。これにより、図４（ａ）に示すように、設定可能な画像サイズが展開して表示されるので、設定を希望する画像サイズの上にカーソルを移動させて（図４（ａ）は９Ｍを選択した場合）、ＭＥＮＵ／ＯＫボタン４０を押す。これにより、画像サイズが設定される。
【００９２】
また、たとえば、画質の設定を行う場合は、撮影メニューとして表示された画質の項目の上にカーソルを移動させ、十字ボタン３８の右キーを押す。これにより、図４（ｂ）に示すように、設定可能な画質が展開して表示されるので、設定を希望する画質の上にカーソルを移動させて（図４（ｂ）はＦＩＮＥを選択した場合）、ＭＥＮＵ／ＯＫボタン４０を押す。これにより、画質が設定される。
【００９３】
また、動画の撮影モードの下、ＭＥＮＵ／ＯＫボタン４０が押されると、図５に示すように、モニタ３４に動画の撮影メニューが表示されるので、その動画の撮影メニューの中から画像サイズ、フレームレートの設定項目を選択して、画像サイズとフレームレートの設定を行う。
【００９４】
ここで、項目の選択は、静止画の場合と同様にカーソルを十字ボタン３８で希望する項目の上に移動させて、右キーを押すことにより行われる。
【００９５】
たとえば、画像サイズの設定を行う場合は、撮影メニューとして表示された画像サイズの項目の上にカーソルを移動させ、十字ボタン３８の右キーを押す。これにより、図５（ａ）に示すように、設定可能な画像サイズが展開して表示されるので、設定を希望する画像サイズの上にカーソルを移動させて（図５（ａ）は６４０を選択した場合）、ＭＥＮＵ／ＯＫボタン４０を押す。これにより、画像サイズが設定される。
【００９６】
また、たとえば、フレームレートの設定を行う場合は、撮影メニューとして表示されたフレームレートの項目の上にカーソルを移動させ、十字ボタン３８の右キーを押す。これにより、図５（ｂ）に示すように、設定可能なフレームレートが展開して表示されるので、設定を希望するフレームレートの上にカーソルを移動させて（図５（ｂ）は３０ｆｐｓを選択した場合）、ＭＥＮＵ／ＯＫボタン４０を押す。これにより、フレームレートが設定される。
【００９７】
ＣＰＵ１１０は、設定された画像サイズ、画質で静止画像が記録されるように制御するとともに、設定された画像サイズ、フレームレートで動画像が記録されるように制御する。
【００９８】
ところで、このようにメモリカード１４４に記録する画像の画質を変えると、一枚の画像のファイルサイズも変わり、メモリカード１４４に記録可能な枚数及び時間も変わってくる。すなわち、高画質に設定するほど、画像一枚あたりのファイルサイズも大きくなり、メモリカード１４４に記録可能な枚数（撮影可能枚数）も減ってくる。この結果、早くにメモリカード１４４の空き容量がなくなり、せっかくのシャッタチャンスを逃すおそれがある。
【００９９】
そこで、本実施の形態の撮像装置１０では、撮影可能枚数（撮影可能時間）が、規定の枚数（時間）以下になると、（１）撮影者に画質／画像サイズ（フレームレート／画像サイズ）の変更を促し、手動で画質／画像サイズ（フレームレート／画像サイズ）を切り替えさせる機能（手動切替機能）、及び、（２）自動的に画質／画像サイズ（フレームレート／画像サイズ）を切り替えて撮影可能枚数（撮影可能時間）を増やす機能（自動切替機能）が備えられている。以下、この機能について説明する。
【０１００】
この機能は、静止画像の残数増加機能及び動画像の残時間増加機能として、ユーザ設定により任意にＯＮ／ＯＦＦできるようにされている。設定は、図６に示すように、静止画の撮影メニュー及び動画の撮影メニューで行われる。
【０１０１】
すなわち、図６（ａ）に示すように、静止画の撮影モードの下、ＭＥＮＵ／ＯＫボタン４０が押されると、モニタ３４に静止画の撮影メニューが表示されるので、その静止画の撮影メニューの中から残数増加の設定項目を選択して、残数増加の設定を行う。
【０１０２】
残数増加の設定は、（１）ＯＦＦ、（２）手動、（３）自動の三つの中から選択できるようにされており、「ＯＦＦ」を選択すると、残数増加の機能がＯＦＦに設定される。また、「手動」を選択すると、手動切替機能がＯＮに設定され、「自動」を選択すると、自動切替機能がＯＮに設定される。
【０１０３】
手動切替機能がＯＮ設定された場合、撮影可能枚数が、規定の枚数以下になると、図７（ａ）に示すように、モニタ３４に画質及び画像サイズの設定画面が表示され、撮影者に画質又は画像サイズの切り替えが促される。この際、モニタ３４には、設定された条件での撮影可能枚数が同時に表示される。
【０１０４】
また、自動切替機能がＯＮ設定された場合、撮影可能枚数が、規定の枚数以下になると、現在設定されている画質及び画像サイズが自動的に一段落とされ、撮影可能枚数が増やされる。たとえば、９Ｍ／ＦＩＮＥに設定されている場合には、画像サイズ／画質が５Ｍ／ＮＯＭＡＬに自動的に落とされる。
【０１０５】
また、図６（ｂ）に示すように、動画の撮影モードの下、ＭＥＮＵ／ＯＫボタン４０が押されると、モニタ３４に動画の撮影メニューが表示されるので、その動画の撮影メニューの中から残時間増加の設定項目を選択して、残時間増加の設定を行う。
【０１０６】
残時間増加の設定は、（１）ＯＦＦ、（２）手動、（３）自動の三つの中から選択できるようにされており、「ＯＦＦ」を選択すると、残時間増加の機能がＯＦＦに設定される。また、「手動」を選択すると、手動切替機能がＯＮに設定され、「自動」を選択すると、自動切替機能がＯＮに設定される。
【０１０７】
手動切替機能がＯＮ設定された場合、撮影可能時間が、規定の時間以下になると、図７（ｂ）に示すように、モニタ３４にフレームレート及び画像サイズの設定画面が表示され、撮影者にフレームレート又は画像サイズの切り替えが促される。この際、モニタ３４には設定された条件での撮影可能時間が同時に表示される。
【０１０８】
また、自動切替機能がＯＮ設定された場合、撮影可能時間が、規定の時間以下になると、現在設定されているフレームレート及び画像サイズが自動的に一段落とされ、撮影可能枚数が増やされる。たとえば、フレームレート／画像サイズが、３０ｆｐｓ／６４０に設定されている場合には、１５ｆｐｓ／３２０に落とされる。
【０１０９】
撮影者は、設定を希望する項目の上にカーソルを移動させてＭＥＮＵ／ＯＫボタン４０を押す。これにより、残枚数増加及び残時間増加の機能の設定を行う。
【０１１０】
まず、静止画撮影時において、残枚数増加機能が「手動」に設定されたときの撮像装置１０の処理動作について説明する。
【０１１１】
図８は、静止画撮影時に残枚数増加機能が「手動」に設定されたときの撮像装置１０の処理動作の手順を示すフローチャートである。
【０１１２】
同図に示すように、まず、静止画の撮影実行の有無が判定される（ステップＳ１０）。撮影が実行されたと判定すると、画像の記録後（ステップＳ１１）、ＣＰＵ１１０は、撮影可能枚数を算出する（ステップＳ１２）。すなわち、現在設定されている画質及び画像サイズとメモリカード１４４の空き容量とに基づいて撮影可能枚数を算出する。そして、ＣＰＵ１１０は、算出した撮影可能枚数が、あらかじめ設定された規定枚数以下になったか否かを判定する（ステップＳ１３）。
【０１１３】
この判定の結果、撮影可能枚数が規定枚数以下になったと判定すると、ＣＰＵ１１０は、図７（ａ）に示すように、画質／画像サイズの設定画面をモニタ３４に表示する（ステップＳ１４）。
【０１１４】
撮影者は、このモニタ３４の表示を確認し、撮影可能枚数を増やす場合は、十字ボタン３８、ＭＥＮＵ／ＯＫボタン４０等を操作して、画質／画像サイズの設定を変更する。ＣＰＵ１１０は、操作部１１２からの入力に基づいて画質／画像サイズの設定が変更されたか否か判定する（ステップＳ１５）。そして、設定が変更されたと判定すると、新たに設定された画質／画像サイズの下で撮影可能枚数を再計算し（ステップＳ１６）、図９に示すように、算出した撮影可能枚数をモニタ３４に表示する（ステップＳ１７）。
【０１１５】
なお、画質／画像サイズの設定が変更されなかった場合は、そのまま元の撮影可能枚数がモニタ３４に表示される。
【０１１６】
この後、ＣＰＵ１１０は、電源がＯＦＦされたか否か判定し（ステップＳ１８）、ＯＦＦされたと判定すると、処理を終了する。一方、ＯＦＦされていないと判定すると、ステップＳ１０に戻り、上記の処理を繰り返し実行する。
【０１１７】
このように、静止画撮影時に残枚数増加機能が「手動」に設定されると、撮影可能枚数が規定枚数以下になった際、画質／画像サイズの設定画面がモニタ３４に自動的に表示され、撮影者に画質／画像サイズの変更が促される。撮影者は、撮影可能枚数を増やしたい場合は、モニタ３４の表示に従って画質／画像サイズを変更する。一方、画質を落とさずに記録した場合は、そのまま設定を変えずに撮影を続行する。これにより、目的・用途に応じた撮影を行うことができる。
【０１１８】
次に、静止画撮影時において、残枚数増加機能が「自動」に設定されたときの撮像装置１０の処理動作について説明する。
【０１１９】
図１０は、静止画撮影時に残枚数増加機能が「自動」に設定されたときの撮像装置１０の処理動作の手順を示すフローチャートである。
【０１２０】
同図に示すように、まず、静止画の撮影実行の有無が判定される（ステップＳ２０）。撮影が実行されたと判定すると、画像の記録後（ステップＳ２１）、ＣＰＵ１１０は、撮影可能枚数を算出する（ステップＳ２２）。そして、算出した撮影可能枚数が、あらかじめ設定された規定枚数以下になったか否かを判定する（ステップＳ２３）。
【０１２１】
この判定の結果、撮影可能枚数が規定枚数以下になったと判定すると、ＣＰＵ１１０は、画質／画像サイズの設定変更が可能か否かを判定する（ステップＳ２４）。すなわち、現在の画質／画像サイズの設定から更に画質／画像サイズを下げることができる否か判定する。
【０１２２】
この判定の結果、画質／画像サイズの設定変更が可能であると判定すると、ＣＰＵ１１０は、現在設定されている画質／画像サイズをそれぞれ１段ずつ下げて、画質／画像サイズを変更する（ステップＳ２５）。すなわち、たとえば、現在の画質／画像サイズの設定が、ＦＩＮＥ／９Ｍに設定されている場合、ＮＯＭＡＬ／５Ｍに設定を変更する。なお、一方のみ変更できる場合には、その一方のみを変更する。たとえば、現在の画質／画像サイズの設定が、ＢＡＳＩＣ／５Ｍの場合には、画像サイズのみが設定変更可能なので、ＢＡＳＩＣ／２Ｍに変更する。
【０１２３】
このように、画質／画像サイズを変更し、変更した新たな画質／画像サイズの下で再度撮影可能枚数を算出する（ステップＳ２６）。そして、図９に示すように、算出した撮影可能枚数をモニタ３４に表示する（ステップＳ２７）。
【０１２４】
なお、画質／画像サイズの設定が変更されなかった場合は、そのまま元の撮影可能枚数がモニタ３４に表示される。
【０１２５】
この後、ＣＰＵ１１０は、電源がＯＦＦされたか否か判定し（ステップＳ２８）、ＯＦＦされたと判定すると、処理を終了する。一方、ＯＦＦされていないと判定すると、ステップＳ２０に戻り、上記の処理を繰り返し実行する。
【０１２６】
このように、静止画撮影時に残枚数増加機能が「自動」に設定されると、撮影可能枚数が規定枚数以下になった際、画質／画像サイズの設定が自動的に変更され、撮影可能枚数が自動的に増やされる。これにより、メモリカード１４４の空き容量を意識せずに撮影を行うことができる。
【０１２７】
次に、動画撮影時において、残時間増加機能が「手動」に設定されたときの撮像装置１０の処理動作について説明する。
【０１２８】
図１１は、動画撮影時に残時間増加機能が「手動」に設定されたときの撮像装置１０の処理動作の手順を示すフローチャートである。
【０１２９】
同図に示すように、まず、画像の撮影実行の有無が判定される（ステップＳ３０）。撮影が実行されたと判定すると、動画の記録後（ステップＳ３１）、ＣＰＵ１１０は、撮影可能時間を算出する（ステップＳ３２）。すなわち、現在設定されているフレームレート及び画像サイズとメモリカード１４４の空き容量とに基づいて撮影可能時間を算出する。そして、ＣＰＵ１１０は、算出した撮影可能時間が、あらかじめ設定された規定時間以下になったか否かを判定する（ステップＳ３３）。
【０１３０】
この判定の結果、撮影可能時間が規定時間以下になったと判定すると、ＣＰＵ１１０は、図７（ｂ）に示すように、フレームレート／画像サイズの設定画面をモニタ３４に表示する（ステップＳ３４）。
【０１３１】
撮影者は、このモニタ３４の表示を確認し、撮影可能枚数を増やす場合は、十字ボタン３８、ＭＥＮＵ／ＯＫボタン４０等を操作して、フレームレート／画像サイズの設定を変更する。ＣＰＵ１１０は、操作部１１２からの入力に基づいてフレームレート／画像サイズの設定が変更されたか否か判定する（ステップＳ３５）。そして、設定が変更されたと判定すると、新たに設定されたフレームレート／画像サイズの下で撮影可能時間を再計算し（ステップＳ３６）、算出した撮影可能時間をモニタ３４に表示する（ステップＳ３７）。
【０１３２】
なお、フレームレート／画像サイズの設定が変更されなかった場合は、そのまま元の撮影可能時間がモニタ３４に表示される。
【０１３３】
この後、ＣＰＵ１１０は、電源がＯＦＦされたか否か判定し（ステップＳ３８）、ＯＦＦされたと判定すると、処理を終了する。一方、ＯＦＦされていないと判定すると、ステップＳ３０に戻り、上記の処理を繰り返し実行する。
【０１３４】
このように、静止画撮影時において、残時間増加機能が「手動」に設定された場合、撮影可能時間が規定時間以下になると、フレームレート／画像サイズの設定画面がモニタ３４に自動的に表示され、撮影者にフレームレート／画像サイズの変更が促される。撮影者は、撮影時間枚数を増やしたい場合は、モニタ３４の表示に従ってフレームレート／画像サイズを変更する。一方、画質を落とさずに記録した場合は、そのまま設定を変えずに撮影を続行する。これにより、目的・用途に応じた撮影を行うことができる。
【０１３５】
次に、動画撮影時において、残時間増加機能が「自動」に設定されたときの撮像装置１０の処理動作について説明する。
【０１３６】
図１２は、動画撮影時に残時間増加機能が「自動」に設定されたときの撮像装置１０の処理動作の手順を示すフローチャートである。
【０１３７】
同図に示すように、まず、動画の撮影実行の有無が判定される（ステップＳ４０）。撮影が実行されたと判定すると、画像の記録後（ステップＳ４１）、ＣＰＵ１１０は、撮影可能時間を算出する（ステップＳ４２）。そして、算出した撮影可能枚数が、あらかじめ設定された規定時間以下になったか否かを判定する（ステップＳ４３）。
【０１３８】
この判定の結果、撮影可能時間が規定時間以下になったと判定すると、ＣＰＵ１１０は、フレームレート／画像サイズの設定変更が可能か否かを判定する（ステップＳ４４）。すなわち、現在のフレームレート／画像サイズの設定から更にフレームレート／画像サイズを下げることができる否か判定する。
【０１３９】
この判定の結果、フレームレート／画像サイズの設定変更が可能であると判定すると、ＣＰＵ１１０は、現在設定されているフレームレート／画像サイズをそれぞれ１段ずつ下げて、フレームレート／画像サイズを変更する（ステップＳ４５）。すなわち、たとえば、現在のフレームレート／画像サイズの設定が、３０ｆｐｓ／６４０に設定されている場合、１５ｆｐｓ／３２０に設定を変更する。なお、一方のみ変更できる場合には、その一方のみを変更する。たとえば、現在のフレームレート／画像サイズの設定が、１５ｆｐｓ／６４０の場合には、画像サイズのみが設定変更可能なので、ＢＡＳＩＣ／２Ｍに変更する。
【０１４０】
このように、フレームレート／画像サイズを変更し、変更した新たなフレームレート／画像サイズの下で再度撮影可能時間を算出する（ステップＳ４６）。そして、算出した撮影可能時間をモニタ３４に表示する（ステップＳ４７）。
【０１４１】
なお、フレームレート／画像サイズの設定が変更されなかった場合は、そのまま元の撮影可能時間がモニタ３４に表示される。
【０１４２】
この後、ＣＰＵ１１０は、電源がＯＦＦされたか否か判定し（ステップＳ４８）、ＯＦＦされたと判定すると、処理を終了する。一方、ＯＦＦされていないと判定すると、ステップＳ４０に戻り、上記の処理を繰り返し実行する。
【０１４３】
このように、動画撮影時において、残時間増加機能が「自動」に設定されると、撮影可能時間が規定時間以下になった際、フレームレート／画像サイズの設定が自動的に変更されて、撮影可能時間が自動的に増やされる。これにより、メモリカード１４４の空き容量を意識せずに撮影を行うことができる。
【０１４４】
以上説明したように、本実施の形態の撮像装置１０によれば、静止画撮影の残枚数増加機能が手動に設定されると、撮影可能枚数が規定枚数以下になった段階で画質／画像サイズの設定画面がモニタ３４に表示され、画質／画像サイズの設定変更が促される。また、静止画撮影の残枚数増加機能が自動に設定されると、撮影可能枚数が規定枚数以下になった段階で画質／画像サイズの設定が自動変更され、自動的に撮影可能枚数が増やされる。また、動画撮影の残時間増加機能が手動に設定されると、撮影可能時間が規定時間以下になった段階でフレームレート／画像サイズの設定画面がモニタ３４に表示され、フレームレート／画像サイズの設定変更が促される。また、残時間増加機能が自動に設定されると、撮影可能時間が規定時間以下になった段階でフレームレート／画像サイズの設定が自動変更され、自動的に撮影可能時間が増やされる。
【０１４５】
このように、本実施の形態の撮像装置１０によれば、撮影の目的・用途に応じた画像の記録を行うことができる。すなわち、たとえば、残枚数増加機能、残時間増加機能を手動に設定すれば、撮影者自ら記録画質を調整しながら撮影可能枚数、撮影可能時間を増やすことができ、また、自動に設定すれば、メモリカード１４４の容量を気にせずに撮影を行うことができる。これにより、予期せぬうちに画質設定が低下させられていたり、メモリカード１４４の空き容量がなくなってシャッタチャンスを逃したりする失敗を効果的に防ぐことができる。
【０１４６】
なお、本実施の形態では、規定枚数、規定時間については、何ら規定していないが、これらの値は、あらかじめ設定された固定値（たとえば、１０枚、１０分等）としてもよいし、撮影者が任意に設定できるようにしてもよい。
【０１４７】
また、本実施の形態では、残枚数増加機能を自動に設定した場合、画質と画像サイズの双方について１段ずつ下げるように設定しているが、いずれか一方のみを下げるようにしてもよい（たとえば、画質のみ、又は、画像サイズのみを一段ずつ下げるようにする）。また、交互に下げるようにしてもよい（たとえば、最初は画像サイズのみを一段下げ、次は画質のみを一段下げ、その次は、再度画像サイズのみを一段下げる）。また、下げ方をユーザが任意に設定できるようにしてもよい。さらに、所定の画像サイズ、画質以下には下げないように設定してもよい。
【０１４８】
同様に本実施の形態では、残時間増加機能を自動に設定した場合、フレームレートと画像サイズの双方について１段ずつ下げるように設定しているが、いずれか一方のみを下げるようにしてもよい（たとえば、フレームレートのみ、又は、画像サイズのみを一段ずつ下げるようにする）。また、交互に下げるようにしてもよい（たとえば、最初は画像サイズのみを一段下げ、次はフレームレートのみを一段下げ、その次は、再度画像サイズのみを一段下げる）。また、下げ方をユーザが任意に設定できるようにしてもよい。さらに、所定の画像サイズ、画質以下には下げないように設定してもよい。
【０１４９】
また、本実施の形態の撮像装置１０では、静止画の撮影について、画質と画像サイズの双方を設定できるようにしているが、画質のみ、あるいは、画像サイズのみを設定できるようにしてもよい。また、一度に双方の設定ができるようにしてもよい。
【０１５０】
また、本実施の形態の撮像装置１０では、動画の撮影について、フレームレートと画像サイズの双方を設定できるようにしているが、フレームレートのみ、あるいは、画像サイズのみを設定できるようにしてもよい。また、一度に双方の設定ができるようにしてもよい。
【０１５１】
また、本実施の形態では、圧縮率を画質として表現しているが、圧縮率そのものを設定するようにしてもよい。
【０１５２】
また、上記の実施の形態では、静止画の画質について四種類、静止画の画像サイズについて五種類、動画のフレームレートについて二種類、動画の画像サイズについて二種類を選択できるようにしているが、これは一例であり、使用する撮像素子の画素数等に応じて選択可能な画質、画像サイズ等を設定することが好ましい。
【０１５３】
また、本実施の形態では、本発明をデジタルカメラに適用した場合を例に説明したが、本発明の適用は、これに限定されるものではない。画像を撮像素子で撮像し、デジタルデータとしてメモリカードに記録する機能を備えた全ての機器、たとえば、ビデオカメラやカメラ付き携帯電話機等にも同様に適用することができる。
【図面の簡単な説明】
【０１５４】
【図１】撮像装置の正面斜視図
【図２】撮像装置の背面斜視図
【図３】撮像装置の電気的構成を示すブロック図
【図４】画質／画像サイズの設定時における撮影メニューの表示例を示す図
【図５】フレームレート／画像サイズの設定時における撮影メニューの表示例を示す図
【図６】残枚数増機能／残時間増加機能の設定時における撮影メニューの表示例を示す図
【図７】画質／画像サイズ、フレームレート／画像サイズの設定画面の表示例を示す図
【図８】静止画撮影時に残枚数増加機能が「手動」に設定されたときの撮像装置の処理動作の手順を示すフローチャート
【図９】モニタの表示例を示す図
【図１０】静止画撮影時に残枚数増加機能が「自動」に設定されたときの撮像装置の処理動作の手順を示すフローチャート
【図１１】動画撮影時に残時間増加機能が「手動」に設定されたときの撮像装置の処理動作の手順を示すフローチャート
【図１２】動画撮影時に残時間増加機能が「自動」に設定されたときの撮像装置の処理動作の手順を示すフローチャート
【符号の説明】
【０１５５】
１０…撮像装置、１２…装置本体、１４…撮影レンズ、１６…ファインダ窓、１８…ストロボ、２０…マイクロフォン、２２…シャッタボタン、２４…電源／モードスイッチ、２６…モードダイヤル、２８…ＵＳＢ端子、３０…スピーカ、３２…ファインダ接眼部、３４…モニタ、３６…ズームボタン、３８…十字ボタン、４０…ＭＥＮＵ／ＯＫボタン、４２…ＤＩＳＰボタン、４４…ＢＡＣＫボタン、４６…バッテリカバー、１１０…ＣＰＵ、１１２…操作部、１１４…ＲＯＭ、１１６…ＲＡＭ、１１８…ＥＥＰＲＯＭ、１２０…ＶＲＡＭ、１２２…時計／カレンダ部、１２４…撮影光学系、１２６…撮影光学系駆動部、１２８…撮像素子、１３０…タイミングジェネレータ、１３２…アナログ信号処理部、１３４…Ａ／Ｄコンバータ、１３６…画像入力コントローラ、１３８…画像信号処理部、１４０…圧縮伸張処理部、１４２…メディアコントローラ、１４４…メモリカード、１４６…ＵＳＢコントローラ、１４８…エンコーダ、１５０…ＯＳＤ部、１５２…ＡＥ／ＡＷＢ検出部、１５４…ＡＦ検出部、１５６…ストロボ制御部、１５８…音声信号処理部、１６０…Ｄ／Ａコンバータ、１６２…スピーカアンプ、１６４…マイクアンプ、１６６…Ａ／Ｄコンバータ、１６８…電源制御部、１７０…バッテリ
【図１】
2007110221.tif 000003
【図２】
2007110221.tif 000004
【図３】
2007110221.tif 000005
【図４】
2007110221.tif 000006
【図５】
2007110221.tif 000007
【図６】
2007110221.tif 000008
【図７】
2007110221.tif 000009
【図８】
2007110221.tif 000010
【図９】
2007110221.tif 000011
【図１０】
2007110221.tif 000012
【図１１】
2007110221.tif 000013
【図１２】
2007110221.tif 000014